(57)【要約】【課題】棚板上に乗せた物品の落下を防ぐための落下防止装置を外側へ突出させない状態で、着脱容易に付設した金属製棚又はワゴンを提供する。【解決手段】落下防止装置を止め棒とブラケットで構成し、止め棒は基本棒と、その両端に対称的に固定されたアームとで構成し、アームの先端に基本棒と平行に外側へ突出する回転軸を設けておき、ブラケットには下部に長孔を設けて、アームの回転軸を挿通した状態として、ブラケットを隣接する支柱の対向する表面に固定して止め棒を支柱間にさしわたし、基本棒をブラケットの上部に設けた窪み内に挿脱自在にする。【選択図】図５
2014036727.tif 000002
【特許請求の範囲】
【請求項１】
金属製支柱の間に金属製棚板を固定してなる金属製棚において、棚に乗せた物品の落下を防ぐための装置をブラケットと止め棒とで構成し、ブラケットには上部に窪みを設け、窪みの下方に上下に長い長孔を設けておき、止め棒は基本棒と、基本棒の両端に対称的に固定されたアームとで構成し、アームには先端に基本棒と平行に外側へ突出する回転軸を付設しておき、回転軸を長孔内に挿入して、ブラケットの裏面を隣接する支柱の対向する表面に当接して固定し、基本棒の両端を窪み内に挿脱自在にしたことを特徴とする、落下防止装置つき金属製棚。
【請求項２】
金属製支柱の間に金属製棚板を固定してなる金属製棚において、棚に乗せた物品の落下を防ぐための装置をブラケットと止め棒とで構成し、ブラケットには上部に窪みを設け、窪みの下方に上下に長い長孔を設けておき、止め棒は基本棒と、基本棒の両端に対称的に固定されたアームとで構成し、アームには先端に基本棒と平行に外側へ突出する回転軸を付設しておき、回転軸を長孔内に挿入して、ブラケットの裏面を隣接する支柱の対向する表面に当接して固定し、基本棒の両端を窪み内に挿脱自在にして落下防止装置つき棚を構成し、棚の下方にキャスターを付設して棚を移動可能としたことを特徴とする、落下防止装置つき金属製ワゴン。
【請求項３】
前記ブラケットの窪みがくの字状に湾曲し、棚の内側に位置する窪みの壁が、外側に位置する窪みの壁よりも上方に突出していることを特徴とする、請求項１に記載の金属製棚又は請求項２に記載の金属製ワゴン。
【請求項４】
前記基本棒とアームとが何れも金属で作られ、アームはＬ形の金属棒であって一端を基本棒に溶接されて一体となり、アームの先が基本棒と平行に延びて回転軸となっていることを特徴とする、請求項１に記載の金属製棚又は請求項２に記載の金属製ワゴン。
【請求項５】
前記基本棒が金属で作られ、前記アームがプラスチックで作られた四角棒状の成形体であって、基本棒を表面に垂直に固定するための孔と、表面から垂直に突出する回転軸を備えていることを特徴とする、請求項１に記載の金属製棚又は請求項２に記載の金属製ワゴン。
【請求項６】
前記支柱が山形の断面を持つ場合、断面がコの字状を呈する補助具を支柱の内側に固定し、支柱に新たに対向する当接面を作り、当接面にブラケットの裏面を当接し、固定することを特徴とする、請求項１に記載の金属製棚又は請求項２に記載の金属製ワゴン。
【発明の詳細な説明】
【技術分野】
【０００１】
この発明は、金属製棚又はワゴンに関するものである。とくに、この発明は棚板に乗せた物品の落下を防ぐための、落下防止装置が付設された金属製棚又はワゴンに関するものである。
ここで云う金属製ワゴンは、金属製棚の下方にキャスターを付設して、金属製棚を移動自在にすることにより作られる。従って、この発明では、金属製棚が基本となるから、以下、金属製棚を中心にして説明する。
【背景技術】
【０００２】
棚板に乗せた物品の落下を防ぐためには、棚板の周りに上向きの側壁を設けて、棚板自体を浅い箱状にすることが普通である。ところが、棚板を浅い箱状にすると、重量物を棚板に乗せたり、棚板から降ろしたりするとき、重量物が側壁を乗り越えるまで重量物を持ち上げなければならないから、大きな力が必要とされる。その上に、棚では上に天板又は別の棚板が付設されているから、側壁があると重量物の乗せ降ろしが一層容易でなくなる。
【０００３】
そこで、側壁を固定しないで、着脱自在にすることが考えられる。その際、側壁として板状のものを付設すると、側壁の重量も大きくなり、また棚板上の物品を見るにも見えにくくなる。重量物の落下を防ぐには、撓みにくい止め棒をさしわたすだけで充分である。こうして、金属製棚では支柱間に金属製の止め棒をさしわたすだけで、落下防止装置とすることが考えられる。
【０００４】
金属製棚又はワゴンに落下防止装置としての止め棒を取り付ける場合、止め棒を如何にして着脱自在にするかが問題になる。最も簡単なのは、図１に示すように、棚板１の四隅に支柱２を固定して作った金属製棚において、隣り合った支柱の外側面にブラケットＡを付設し、ブラケットＡには上下に貫通する透孔Ｂを設けておき、他方、長尺の金属棒の両端を直角に同じ方向に曲げたものを止め棒Ｃとして用い、止め棒Ｃの曲げた両端をブラケットＡの透孔Ｂ内に挿入して、止め棒Ｃを支柱２に着脱自在とする方法である。しかし、この方法では止め棒Ｃを棚から外したとき、止め棒Ｃが棚から離れてしまうので、止め棒Ｃを再び棚に付設するのに不便である。
【発明の概要】
【発明が解決しようとする課題】
【０００５】
この不便を解消し、止め棒を棚板の周りから外したときも、止め棒がなお棚に付着されていて、容易に再度使用できるようにすることが、この発明の１つの課題である。また、図１に示すように、ブラケットＡを支柱２の外側面に付設すると、ブラケットＡが棚の外側へ食み出しているため、色々な障害を引き起こす。とくに、この障害はワゴンにして移動させるとき顕著である。そこで、この障害を解消するのも、この発明の１つの課題である。
【課題を解決するための手段】
【０００６】
この発明では、止め棒は、一本の長尺の基本棒と、その両端に対称的に付設したアームとからなり、アームの先に基本棒と平行に外側へ延びる部分を設け、これを回転軸とする。また、ブラケットは、上部に上方に向かって開口する窪みと、窪みの下方に上下に長い長孔とを備えたものとし、ブラケットを隣接する支柱の対向する表面に固定する。
【０００７】
この発明では棚にブラケットと止め棒とを付設するには次のようにする。まず、ブラケ
ットの長孔内に止め棒の回転軸を挿入し、止め棒の両端にブラケットを係止させる。次いで、棚板の上方で隣接する支柱の互いに対向する表面に、ブラケットの裏面を当接して固定する。すると、止め棒は回転軸を中心として回動可能となる。その結果、止め棒を持ち上げて基本棒の両端を係止部の窪みへ挿入することができる。また、逆に挿入した基本棒を窪みから外すこともできる。こうして、基本棒はブラケットに着脱自在にすることができる。
【０００８】
この発明は、金属製支柱の間に金属製棚板を固定してなる金属製棚において、棚に乗せた物品の落下を防ぐための装置をブラケットと止め棒とで構成し、ブラケットには上部に窪みを設け、窪みの下方に上下に長い長孔を設けておき、止め棒は基本棒と、基本棒の両端に対称的に固定されたアームとで構成し、アームには先端に基本棒と平行に外側へ突出する回転軸を付設しておき、回転軸を長孔内に挿入して、ブラケットの裏面を隣接する支柱の対向する表面に当接して固定し、基本棒の両端を窪み内に挿脱自在にしたことを特徴とする落下防止装置つき金属製棚を提供するものである。
【０００９】
また、この発明は上記の金属製棚の下方にキャスターを付設して、棚を移動可能にしたことを特徴とする落下防止装置つき金属製ワゴンをも提供するものである。その金属製のワゴンは、金属製支柱の間に金属製棚板を固定してなる金属製棚において、棚に乗せた物品の落下を防ぐための装置をブラケットと止め棒とで構成し、ブラケットには上部に窪みを設け、窪みの下方に上下に長い長孔を設けておき、止め棒は基本棒と、基本棒の両端に対称的に固定されたアームとで構成し、アームには先端に基本棒と平行に外側へ突出する回転軸を付設しておき、回転軸を長孔内に挿入して、ブラケットの裏面を隣接する支柱の対向する表面に当接し固定して、基本棒の両端を窪み内に挿脱自在にして落下防止つき棚とし、棚の下方にキャスターを付設して棚を移動可能にしたことを特徴とするものである。
【発明の効果】
【００１０】
この発明では、止め棒は基本棒の両端にアームを対称的に固定し、アームの先に基本棒と平行に外方へ突出する回転軸を設けた構造としたので、回転軸をブラケットの長孔に挿入してブラケットを固定すると、止め棒はブラケットに係止され、回転軸を中心として回動できることとなる。
【００１１】
そこで、ブラケットの固定位置を、隣接する支柱の対向する表面上で、且つ棚に近接した上方位置にすると、基本棒は棚の近くでブラケットに固定された回転軸を中心として自在に回動できることとなる。そのため、基本棒は棚の上方でブラケットの窪み内に入れて、落下防止具として働く状態にすることができる。
【００１２】
また逆に、止め棒を落下防止具として働かせないようにすることも容易である。それは、基本棒を持ち上げてブラケットの窪みから外し、外側へ回動させて降下させるだけで、基本棒を棚板の上方から除くことができるからである。この状態では、止め棒はアームによってブラケットに係止されているから、棚から離れていないため、再度の使用が容易である。こうして、止め棒が落下防止機能を発揮する状態と、発揮しない状態との切り替えが容易であり、迅速に行うことができる。
【００１３】
また、この発明ではブラケットの裏面を隣接する支柱の対向する表面に当接して固定することとしたから、ブラケットは支柱の外へ食み出さないために棚での納まりがよく、棚を取り扱う上で支障がない。
棚を取り扱う上で支障がないという利点は、棚の下方にキャスターを付設してワゴンとしてワゴンを移動させる際に、最も顕著に現れる。
この発明は、このような効果をもたらすものである。
【図面の簡単な説明】
【００１４】
【図１】図１は、ありふれた落下防止具の分解斜視図である。
【図２】図２は、この発明におけるブラケットの固定位置を示した金属製棚の一部切欠斜視図である。
【図３】図３は、この発明で用いる止め棒の斜視図である。
【図４】図４は、図３に示した止め棒がブラケットにより支柱に固定された状態の、この発明の棚の一部切欠斜視図である。
【図５】図５は、この発明で用いることのできる他の止め棒とブラケットの一部切欠斜視図である。
【図６】図６は、止め棒とブラケットとが分離された状態のこの発明に係る棚の一部切欠斜視図である。
【図７】図７は、支柱が断面山形の鋼材で作られている場合、補助具を介在させてブラケットを支柱に固定する状態を示した分解斜視図である。
【図８】図８は、この発明で用いることのできる他の止め棒の一部切欠斜視図である。
【図９】図９は、止め棒とブラケットが付設されたこの発明に係るワゴンの斜視図である。
【発明を実施するための形態】
【００１５】
この発明は、金属製支柱と金属製棚板とにより構成した金属製棚を前提にしている。そのうち、金属製支柱は、金属板を断面が直角四辺形の中空形又は山形になるように折曲して作られた長尺体であることが多い。また、棚板はその上に重量の大きい物品を乗せても撓まないようにするために、直角四辺形の浅い箱状に成形されたものであることが多い。金属板としては鋼板を用いることが多い。
【００１６】
上記の支柱と棚板とを組み合わせ棚とするには、棚板のかどに支柱を立て、棚板の側面を支柱の表面に固定して棚とする。固定はボルトとナットで行うこともできるが、また一方に係止孔を設け、他方に係止突起を設けて、突起を孔内に挿入して行うこともできる。また、支柱と棚板との接続部に補助物を介在させて行うこともできる。
【００１７】
こうして組み立てた棚では、棚板上に物品を乗せ易く、また物品を取り出し易くするために、浅い箱状の棚板は側壁を下に向けて支柱に設置されることが多い。このため、棚板に乗せた物品は落下するおそれがある。そこで、この棚には取り外し自在の落下防止装置を取り付ける必要が起こる。
この発明では、落下防止装置として、止め棒と、ブラケットとを用いる。止め棒は、物品が落下するのを直接に防ぐものであり、ブラケットは、止め棒を支柱に係止するためのものである。
【００１８】
図２は、この発明に係る落下防止装置つき金属製棚の一部切欠斜視図である。図２ではブラケット３の棚への取付位置を示すだけで、詳細な構造を示していない。ブラケット３の取付位置は、棚板１との関係では棚板１の上方で棚板１に近接した位置とされ、支柱２との関係では、互いに隣接する支柱の互いに向き合う表面上とされる。止め棒４は、こうして取り付けられたブラケットの間にさしわたして係止される。
【００１９】
この発明で用いる止め棒４は、図３に示した構造のものを用いることができる。すなわち、止め棒４は、一本の基本棒４１の両端にアーム４２を対称的に固定して作られている。アーム４２の先は基本棒４１と平行に延びて回転軸になっている。アーム４２の先端は、基本棒４１の先端とほぼ揃っていることが好ましいが、多少の突出差があってもよい。基本棒４１とアーム４２とは、何れも金属で作られ溶接によって一体にされている。
【００２０】
図４は、図３に示した止め棒がブラケットにより棚に取り付けられた状態を示している。棚は棚板１の四隅のかどに支柱２を固定して作られている。ブラケット３は隣接する支柱２の対向する表面上で、且つ棚板１の上方で棚板１に接近した位置に裏面を直接当接して固定されている。固定はねじ５によって行われる。
【００２１】
ブラケット３は、支柱２への固定部３１と、固定部３１と平行に延びる係止部３２とが一体とされているが、全体としては短冊状とされている。図３のブラケット３では固定部３１と係止部３２とが重なる位置にあって、両側で固定されて全体が筒状になっている。固定部３１と係止部３２とは何れも金属板で作ることが好ましい。
【００２２】
ブラケット３の係止部３２には、上部に窪み３２１が付設されるとともに、窪み３２１の下方に長孔３２２が穿設されている。長孔３２２は上下方向に長いものとされる。窪み３２１は、基本棒４１を落とし込むためのものであるから、基本棒４１を悠に落とし込める大きさであることが必要である。また、長孔３２２はアーム４２の先端を挿入するためのものであるから、アーム４２の先端を悠に通過させることのできる大きさのものでなければならない。
【００２３】
この発明では、図４に示すように、支柱２に固定されたブラケット３の間へ止め棒４をさしわたして係止させる。係止には、アーム４２の端を長孔３２２内へ挿入して行う。すると、アーム４２の先端は回転軸となり、止め棒４はアーム４２の端を軸として回動できる状態となる。
【００２４】
そこで、基本棒４１を水平に維持しつつ持ち上げると、アーム４２は長孔３２２内を上昇するので、基本棒４１を係止部３２の上まで移動させることができる。こうして基本棒４１の端を係止部の窪み３２１内へ挿入して、基本棒４１をブラケット３の間に固定することができる。この状態では基本棒４１は棚板１の上方で隣接する支柱２の間を塞ぐこととなるから、落下防止装置として働く。
【００２５】
基本棒４１をブラケット３から外すには、基本棒４１を持ち上げて窪み３２１から外し、枝棒４２を軸として外側へ移動させ、次いで降下させる。すると、図４に示したように基本棒４１は棚板１の側方で棚板に沿って延びている状態となる。従って、止め棒４は棚に付着した状態となって、しかも棚への物品の上げ降ろしには全く妨害にならないものとなる。
【００２６】
以上のように、この発明で用いる落下防止装置は、落下防止の役目をするように働かせることも、この働きを無くすることも容易にできる。
この発明で用いることのできるブラケットは、図４に示したものに限らない。図５に示したブラケット３も止め棒４も図４のものと同じように使用することができる。
【００２７】
図５に示したブラケット３は、上端に上方に向かって開口する窪み３２１を備え、その下方に上下に長い長孔３２２を備え、全体として直角四辺形の短冊状にされている。ブラケット３は金属で作ることもできるが、プラスチックで作ることが好ましい。プラスチックで作るときは、材料の節約と成形の容易さのために、図５に示したように内部を空にして全体を浅い箱状にすることが好ましい。なお５１はブラケット３を支柱に固定するためのねじ孔である。
【００２８】
窪み３２１はくの字状に湾曲されて陷入された基本棒４１の脱出を防ぎ、棚の内側に位置する窪み３２１の壁３２１１は、外側に位置する壁３２１２よりも上方に突出して、基本棒４１がブラケット３を通り越して棚の内側へ倒れ込むのを防いでいる。
【００２９】
図５に示した止め棒４は、金属製の基本棒４１の両端にプラスチック製のアーム４２を対称に固定して作られている。アーム４２は四角棒状の成形体で、基本棒４１を表面に垂直に挿通するための孔４１０を備え、基本棒４１の延長部４１１を突出させるとともに、他端に基本棒４１と平行に突出する回転軸４２１を突出させた形状にプラスチックで一体に成形されている。孔４１０は、円形孔の一部が平面状に切欠された形とされ、同じ形に切欠された基本棒４１の端が丁度嵌まり込むようにされている。但し、アーム４２は、延長部４１１をとくに突出させないで、基本棒４１を貫通させてもよい。
【００３０】
図５に示したブラケット３と止め棒４とは、次のようにして支柱２に付設する。まず、止め棒４の回転軸４２１をブラケット３の長孔３２２に挿入して、止め棒４の両端にブラケット３を係止させる。その後、ブラケット３の裏面を隣接する支柱２の対向する表面上に当接し、図６に示したような位置にブラケット３を固定する。このようにすると、止め棒４は回転軸４２１を中心としてブラケット３上で回動できる状態となる。この状態で基本棒４１をブラケットの窪み３２１内に陷入させると、止め棒４は落下防止装置として働くこととなる。また、基本棒４１を窪み３２１から外すと、止め棒４１は落下防止装置として働かなくなる。
【００３１】
なお、図５に示したアーム４２は図８に示したように、回転軸４２１の先端をアームの長手方向に押し潰したような形状として、先端にアームの長手方向に垂直な方向に膨出する膨出部４２１１を作っておくのが便利である。このようにすると、アーム４２の長手方向を長孔の長手方向に垂直に向けて回転軸４２１を挿入し、アームの長手方向を長孔と平行に向けると、回転軸４２１は長孔から抜けなくなるからである。
【００３２】
図６は、支柱２が四角筒状のものであるため、ブラケットを直接支柱の表面に固定できる。金属製棚には、支柱が山形状の断面を持っている場合がある。このような場合には、図７に示すように補助具を介在させて、ブラケットを支柱に固定する。
【００３３】
図７において符号６で示したのが補助具である。補助具６は断面がコの字状を呈する金属板の一方の側片の一部を切欠して、そこにブラケットの当接面６０を形成したものである。補助具６は図７に符号６´で示した位置にボルトで固定される。こうして支柱に固定された補助具６によって新たに作られた当接面６０上に、ブラケット３を固定することによって、止め棒４を棚に取り付けることができる。
【００３４】
この発明に係る落下防止つきの金属製棚は、最初に説明したように、棚の下方、とりわけ支柱の下方にキャスターを付設して、ワゴンとすることができる。図９は。この発明に係るワゴンを示している。図９において、符号７はこの発明に係る落下防止装置つき金属製棚を示し、棚７の底板の下面に自在キャスター８が付設されてワゴンが作られている。
【００３５】
以上、詳述したように、この発明に係る落下防止装置つきの金属製棚及びワゴンは、そこに付設されている落下防止装置が落下防止機能の働く状態と働かない状態との間の切り替えを容易且つ迅速に行うことができる点で有利である。また、落下防止装置は棚又はワゴンの外側へ張り出していないから有利であり、とくにワゴンとして移動させる際に支障がないから有利である。この点で実用上の価値が高い。
【符号の説明】
【００３６】
１                   棚板
２                   支柱
３                   ブラケット
３１                 固定部
３２                 係止部
３２１               窪み
３２２               長孔
４                   止め棒
４１                 基本棒
４２                 アーム
４１１               基本棒の延長部
４２１               回転軸
５                   ねじ
６                   補助具
６０                 当接面
【図１】
2014036727.tif 000003
【図２】
2014036727.tif 000004
【図３】
2014036727.tif 000005
【図４】
2014036727.tif 000006
【図５】
2014036727.tif 000007
【図６】
2014036727.tif 000008
【図７】
2014036727.tif 000009
【図８】
2014036727.tif 000010
【図９】
2014036727.tif 000011